【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
使用者の体の複数の部位を加圧する加圧用具であって、
骨盤まわりに装着される骨盤ベルトと、腰椎まわりに装着される腰椎ベルトと、上記骨盤ベルトと上記腰椎ベルトとを着脱自在につなぐ連結部材と、を備え、
上記骨盤ベルトが、上記骨盤まわりに巻かれるベルト本体と、このベルト本体の一方の端部と他方の端部とをつないで上記ベルト本体を上記骨盤まわりに巻いた状態を維持する固定部材と、上記ベルト本体の一方の端部から他方の端部に亘る長さに構成されていて膨らむ複数の長尺な膨張部材と、を備え、
上記腰椎ベルトが、上記腰椎まわりに巻かれるベルト本体と、このベルト本体の一方の端部と他方の端部とをつないで上記腰椎ベルトの上記ベルト本体を上記腰椎まわりに巻いた状態を維持する固定部材と、上記腰椎ベルトの上記ベルト本体で一方の端部から他方の端部に亘る長さに構成されていて膨らむ複数の長尺な膨張部材と、を備え、
上記骨盤ベルト及び上記腰椎ベルトの上記ベルト本体は、それぞれ平たい表材とこの表材に重ねるよう設けられて上記使用者に当たる平たい裏材とを備えると共に上記表材と上記裏材との間が上記膨張部材それぞれを入れる複数の収容部として構成されており、複数の上記収容部は上記ベルト本体の幅方向に並んでいることを特徴とする、加圧用具。
【請求項２】
股関節に寄せて大腿部に装着される股関節ベルトと、上記股関節ベルトと上記骨盤ベルトとを着脱自在につなぐ他の連結部材と、をさらに備え、
上記股関節ベルトが、上記大腿部に巻かれるベルト本体と、このベルト本体を上記大腿部に巻いた状態を維持する固定部材と、上記股関節ベルトの上記ベルト本体に設けられていて膨らむ長尺な膨張部材と、を備えていることを特徴とする、請求項１に記載の加圧用具。
【請求項３】
上記骨盤ベルトと上記腰椎ベルトとは、上記膨張部材による腹への加圧を低減する保護部材を備えていることを特徴とする、請求項１又は請求項２に記載の加圧用具。
【請求項４】
使用者の体の複数の部位を加圧する加圧用具であって、
骨盤まわりに装着される骨盤ベルトと、腰椎まわりに装着される腰椎ベルトと、上記骨盤ベルトと上記腰椎ベルトとを着脱自在につなぐ連結部材と、を備え、
上記骨盤ベルトが、上記骨盤まわりに巻かれるベルト本体と、このベルト本体の一方の端部と他方の端部とをつないで上記ベルト本体を上記骨盤まわりに巻いた状態を維持する固定部材と、上記ベルト本体に設けられていて膨らむ複数の長尺な膨張部材と、を備え、
上記腰椎ベルトが、上記腰椎まわりに巻かれるベルト本体と、このベルト本体の一方の端部と他方の端部とをつないで上記腰椎ベルトの上記ベルト本体を上記腰椎まわりに巻いた状態を維持する固定部材と、上記腰椎ベルトの上記ベルト本体に設けられていて膨らむ複数の長尺な膨張部材と、を備え、
上記骨盤ベルト及び上記腰椎ベルトの上記ベルト本体は、それぞれ平たい表材とこの表材に重ねるよう設けられて上記使用者に当たる平たい裏材とを備えると共に上記表材と上記裏材との間が上記膨張部材それぞれを入れる複数の収容部として構成されており、複数の上記収容部は上記ベルト本体の幅方向に並んでおり、
さらに、下記の条件（イ）及び（ロ）の少なくとも一方を満たすことを特徴とする、加圧用具。
（イ）上記骨盤ベルトの上記膨張部材が上記使用者の上記骨盤まわりの一部にだけ対応する長さに構成されている。
（ロ）上記腰椎ベルトの上記膨張部材が上記使用者の上記腰椎まわりの一部にだけ対応する長さに構成されている。
【請求項５】
使用者の体の複数の部位を加圧する加圧用具であって、
骨盤まわりに装着される骨盤ベルトと、股関節に寄せて大腿部に装着される股関節ベルトと、上記骨盤ベルトと上記股関節ベルトとを着脱自在につなぐ連結部材と、を備え、
上記骨盤ベルトが、上記骨盤まわりに巻かれるベルト本体と、このベルト本体の一方の端部と他方の端部とをつないで上記ベルト本体を上記骨盤まわりに巻いた状態を維持する固定部材と、下記の条件（ハ）及び（ニ）の何れかを満たしていて膨らむ複数の長尺な膨張部材と、を備え、
上記股関節ベルトが、上記大腿部に巻かれるベルト本体と、このベルト本体を上記大腿部に巻いた状態を維持する固定部材と、上記股関節ベルトの上記ベルト本体に設けられていて膨らむ長尺な膨張部材と、を備え、
上記骨盤ベルトの上記ベルト本体は、それぞれ平たい表材とこの表材に重ねるよう設けられて上記使用者に当たる平たい裏材とを備えると共に上記表材と上記裏材との間が上記膨張部材それぞれを入れる複数の収容部として構成されており、複数の上記収容部は上記ベルト本体の幅方向に並んでいることを特徴とする、加圧用具。
（ハ）上記骨盤ベルトの上記ベルト本体の一方の端部から他方の端部に亘る長さに構成されている。
（ニ）上記使用者の上記骨盤まわりの一部にだけ対応する長さに構成されている。
【請求項６】
上記膨張部材は、空気袋と、上記空気袋の外側に設けられて上記空気袋の膨らむ方向を上記使用者へ向ける規制部材と、上記空気袋及び上記規制部材を入れる収容袋と、を備えていることを特徴とする、請求項１から請求項５の何れかに記載の加圧用具。
【請求項７】
使用者の体の複数の部位を加圧する加圧方法であって、
骨盤ベルトと腰椎ベルトとを連結部材によってつなぐ上側連結工程と、
上記骨盤ベルトを骨盤まわりに装着する骨盤ベルト装着工程と、
上記腰椎ベルトを腰椎まわりに装着する腰椎ベルト装着工程と、
上記骨盤ベルトに設けた膨張部材を膨らませる骨盤ベルト膨張工程と、
上記腰椎ベルトに設けた膨張部材を膨らませる腰椎ベルト膨張工程と、を備えており、
上記骨盤まわりを加圧すると共に上記腰椎まわりを加圧することを特徴とする、加圧方法。
【請求項８】
上記骨盤ベルトと股関節ベルトとを他の連結部材によってつなぐ下側連結工程と、
上記股関節ベルトを股関節に寄せて大腿部に装着する股関節ベルト装着工程と、
上記股関節ベルトに設けた膨張部材を膨らませる股関節ベルト膨張工程と、をさらに備えており、
上記骨盤まわり及び上記腰椎まわりを加圧すると共に、上記大腿部を加圧することを特徴とする、請求項７に記載の加圧方法。
【請求項９】
使用者の体の複数の部位を加圧する加圧方法であって、
骨盤ベルトを骨盤まわりに装着する骨盤ベルト装着工程と、
股関節ベルトを股関節に寄せて大腿部に装着する股関節ベルト装着工程と、
上記骨盤ベルトと上記股関節ベルトとを連結部材によってつなぐ下側連結工程と、
上記骨盤ベルトに設けた膨張部材を膨らませる骨盤ベルト膨張工程と、
上記股関節ベルトに設けた膨張部材を膨らませる股関節ベルト膨張工程と、を備えており、
上記骨盤まわりを加圧すると共に上記大腿部を加圧することを特徴とする、加圧方法。
【手続補正２】
【補正対象書類名】明細書
【補正対象項目名】発明の名称
【補正方法】変更
【補正の内容】
【発明の名称】加圧用具とそれを用いた加圧方法
【手続補正３】
【補正対象書類名】明細書
【補正対象項目名】０００５
【補正方法】変更
【補正の内容】
【０００５】
本発明は、腰周辺の複数の部位を押圧する加圧用具と、それを用いた加圧方法と、を提供することを目的とする。
【手続補正４】
【補正対象書類名】明細書
【補正対象項目名】０００６
【補正方法】変更
【補正の内容】
【０００６】
第１の本発明は使用者の体の複数の部位を加圧する加圧用具である。上記加圧用具は、骨盤まわりに装着される骨盤ベルトと、腰椎まわりに装着される腰椎ベルトと、上記骨盤ベルトと上記腰椎ベルトとを着脱自在につなぐ連結部材と、を備えている。上記骨盤ベルトが、上記骨盤まわりに巻かれるベルト本体と、このベルト本体の一方の端部と他方の端部とをつないで上記ベルト本体を上記骨盤まわりに巻いた状態を維持する固定部材と、上記ベルト本体の一方の端部から他方の端部に亘る長さに構成されていて膨らむ複数の長尺な膨張部材と、を備えている。上記腰椎ベルトが、上記腰椎まわりに巻かれるベルト本体と、このベルト本体の一方の端部と他方の端部とをつないで上記腰椎ベルトの上記ベルト本体を上記腰椎まわりに巻いた状態を維持する固定部材と、上記腰椎ベルトの上記ベルト本体で一方の端部から他方の端部に亘る長さに構成されていて膨らむ複数の長尺な膨張部材と、を備えている。上記骨盤ベルト及び上記腰椎ベルトの上記ベルト本体は、それぞれ平たい表材とこの表材に重ねるよう設けられて上記使用者に当たる平たい裏材とから構成されていると共に上記表材と上記裏材との間が上記膨張部材それぞれを入れる複数の収容部として構成されており、複数の上記収容部は上記ベルト本体の幅方向に並んでいる。
本発明の加圧用具は、好ましくは、股関節に寄せて大腿部に装着される股関節ベルトと、上記股関節ベルトと上記骨盤ベルトとを着脱自在につなぐ他の連結部材と、をさらに備えている。上記股関節ベルトが、上記大腿部に巻かれるベルト本体と、このベルト本体を上記大腿部に巻いた状態を維持する固定部材と、上記股関節ベルトの上記ベルト本体に設けられていて膨らむ長尺な膨張部材と、を備えている。本発明の加圧用具では、下記の条件（イ）及び（ロ）の少なくとも一方を満たすように構成されてもよい。
（イ）上記骨盤ベルトの上記膨張部材が上記使用者の上記骨盤まわりの一部にだけ対応する長さに構成されている。
（ロ）上記腰椎ベルトの上記膨張部材が上記使用者の上記腰椎まわりの一部にだけ対応する長さに構成されている。
【手続補正５】
【補正対象書類名】明細書
【補正対象項目名】０００７
【補正方法】変更
【補正の内容】
【０００７】
第２の本発明は使用者の体の複数の部位を加圧する加圧用具である。上記加圧用具は、骨盤まわりに装着される骨盤ベルトと、股関節に寄せて大腿部に装着される股関節ベルトと、上記骨盤ベルトと上記股関節ベルトとを着脱自在につなぐ連結部材と、を備えている。上記骨盤ベルトが、上記骨盤まわりに巻かれるベルト本体と、このベルト本体の一方の端部と他方の端部とをつないで上記ベルト本体を上記骨盤まわりに巻いた状態を維持する固定部材と、下記の（ハ）及び（ニ）の何れかであって膨らむ複数の長尺な膨張部材と、を備えている。上記股関節ベルトが、上記大腿部に巻かれるベルト本体と、このベルト本体を上記大腿部に巻いた状態を維持する固定部材と、上記股関節ベルトの上記ベルト本体に設けられていて膨らむ長尺な膨張部材と、を備えている。上記骨盤ベルトの上記ベルト本体は、それぞれ平たい表材とこの表材に重ねるよう設けられて上記使用者に当たる平たい裏材とを備えていると共に上記表材と上記裏材との間が上記膨張部材それぞれを入れる複数の収容部として構成されており、複数の上記収容部は上記ベルト本体の幅方向に並んでいる。
（ハ）上記骨盤ベルトの上記ベルト本体の一方の端部から他方の端部に亘る長さに構成されている。
（ニ）上記使用者の上記骨盤まわりの一部にだけ対応する長さに構成されている。
【手続補正６】
【補正対象書類名】明細書
【補正対象項目名】０００８
【補正方法】変更
【補正の内容】
【０００８】
第３の本発明は、使用者の体の複数の部位を加圧する加圧方法である。上記加圧方法は、骨盤ベルトと腰椎ベルトとを連結部材によってつなぐ上側連結工程と、上記骨盤ベルトを骨盤まわりに装着する骨盤ベルト装着工程と、上記腰椎ベルトを腰椎まわりに装着する腰椎ベルト装着工程と、上記骨盤ベルトに設けた膨張部材を膨らませる骨盤ベルト膨張工程と、上記腰椎ベルトに設けた膨張部材を膨らませる腰椎ベルト膨張工程と、を備えており、上記骨盤まわりを加圧すると共に上記腰椎まわりを加圧する。
第４の本発明は、使用者の体の複数の部位を加圧する加圧方法である。上記加圧方法は、骨盤ベルトを骨盤まわりに装着する骨盤ベルト装着工程と、股関節ベルトを股関節に寄せて大腿部に装着する股関節ベルト装着工程と、上記骨盤ベルトと上記股関節ベルトとを連結部材によってつなぐ下側連結工程と、上記骨盤ベルトに設けた膨張部材を膨らませる骨盤ベルト膨張工程と、上記股関節ベルトに設けた膨張部材を膨らませる股関節ベルト膨張工程と、を備えており、上記骨盤まわりを加圧すると共に上記大腿部を加圧する。尚、上記下側連結工程で上記大腿部の内股側が低くなるように上記股関節ベルトを傾ける。
【手続補正７】
【補正対象書類名】明細書
【補正対象項目名】００２６
【補正方法】変更
【補正の内容】
【００２６】
（使用方法）
骨盤ベルト１０と腰椎ベルト２０とを連結部材３０でつなぎ（上側連結工程）、使用者の腰まわりに巻く。このとき、骨盤ベルト１０側を、その長手方向の中間部の内側の面を尻側に当てた状態で、一方の端部と他方の端部とを下腹部側へ回して重ね合わせ、固定部材１３０の雄型バックル１３２を雌型バックル１３１に嵌めて、骨盤まわりに装着する（骨盤ベルト装着工程）。腰椎ベルト２０側も、骨盤ベルト１０と同様に、背中側から腹側に回して、重ね合わせた端部を固定部材１３０で留めて、脊椎の内、第４腰椎や第５腰椎まわりに装着する（腰椎ベルト装着工程）。
【手続補正８】
【補正対象書類名】明細書
【補正対象項目名】００２７
【補正方法】変更
【補正の内容】
【００２７】
骨盤ベルト１０に、ポンプ２００と計測器３００とをコネクターにつないで、ベルト本体１１０に設けられた空気袋１２１に空気を送り、空気袋１２１を膨らませる（骨盤ベルト膨張工程）。コネクターは、ポンプ２００が外れた状態で空気袋１２１の口（Ｙ字型の連結用チューブ１２７の接続端部１２７Ａ）を塞いで、膨らんだ状態を維持する。腰椎ベルト２０も、骨盤ベルト１０と同様に、ポンプ２００と計測器３００とをコネクターにつないで空気袋１２１を膨らませる（腰椎ベルト膨張工程）。
【手続補正９】
【補正対象書類名】明細書
【補正対象項目名】００３５
【補正方法】変更
【補正の内容】
【００３５】
さらに、股関節ベルト４０を右脚の大腿部に巻き、固定部材１３０で巻いた状態を維持する（股関節ベルト装着工程）。このとき、股関節ベルト４０を大腿部の付け根に寄せて、内腿側を低くして正面視で傾くように巻く。股関節ベルト４０を連結部材５０で骨盤ベルト１０とつないで、股関節ベルト４０の内、大腿部の外側が内股側より高くなるよう骨盤ベルト１０で支えて、股関節ベルト４０の傾いた状態を保持する（下側連結工程）。
【手続補正１０】
【補正対象書類名】明細書
【補正対象項目名】００３６
【補正方法】変更
【補正の内容】
【００３６】
第１実施形態と同様に、骨盤ベルト１０をポンプ２００によって膨らませて、骨盤まわりを押圧する。股関節ベルト４０も、骨盤ベルト１０と同様に、ポンプ２００と計測器３００とをコネクターにつないで空気袋１２１を膨らませる（股関節ベルト膨張工程）。